(57)【要約】      （修正有）【課題】検査回路をアンテナと送受信回路にそれぞれ接続させる並列接続に切り換える接続切換装置を提供する。【解決手段】レセプタクルコネクタは、第１コンタクトと、第２コンタクトと、ノーマルクローズ端子とを備え、プラグは、第１コンタクトに接触する第１プラグピンと、第２コンタクトに接触する第２プラグピンと、第１，第２コンタクトの少なくともいずれかとノーマルクローズ端子の間に挿入され、第１，第２コンタクトの少なくともいずれかとノーマルクローズ端子間を絶縁する絶縁突部とを備え、プラグを送受信回路に接続する第１コンタクトとアンテナに接続する第２コンタクトとが接続するレセプタクルコネクタにプラグを接続し、絶縁突部で送受信回路とアンテナ間の接続を遮断するとともに、検査回路に接続する第１プラグピンと第２プラグピンを、それぞれ送受信回路に接続する第１コンタクトとアンテナに接続する第２コンタクトへ電気接続する。【選択図】図７
2020061320.tif 000002
【特許請求の範囲】
【請求項１】
第１コンタクトと第２コンタクトが絶縁ハウジングに取り付けられたレセプタクルコネクタに、第１プラグピンを有するプラグを接続し、第２コンタクトに電気接続する第１コンタクトを、第１プラグピンとの電気接続に切り換える接続切換装置であって、
レセプタクルコネクタは、第１弾性接触片を有する第１コンタクトと、第２弾性接触片を有する第２コンタクトと、前記絶縁ハウジングの第１コンタクトと第２コンタクトの間に取り付けられ、第１弾性接触片と第２弾性接触片が弾性接触するノーマルクローズ端子とを備え、
プラグは、前記レセプタクルコネクタに接続する際に、第１コンタクトに接触する第１プラグピンと、第２コンタクトに接触する第２プラグピンと、第１弾性接触片とノーマルクローズ端子間及び／又は第２弾性接触片とノーマルクローズ端子間に挿入され、第１弾性接触片及び／又は第２弾性接触片とノーマルクローズ端子間を絶縁する絶縁突部とを備え、
レセプタクルコネクタとプラグが接続した際に、第１コンタクトと第１プラグピンが電気接続するとともに、第２コンタクトと第２プラグピンが電気接続することを特徴とする接続切換装置。
【請求項２】
プラグは、第１コンタクトに接触する第１プラグピンと、第２コンタクトに接触する第２プラグピンと、第１弾性接触片とノーマルクローズ端子間及び第２弾性接触片とノーマルクローズ端子間に挿入され、第１弾性接触片及び第２弾性接触片とノーマルクローズ端子間を絶縁する絶縁突部と、接地接続し、前記絶縁突部に沿って突設されるグランド端子とを備え、
レセプタクルコネクタに接続する際に、グランド端子がノーマルクローズ端子に接触することを特徴とする請求項１に記載の接続切換装置。
【請求項３】
第１コンタクトは、アンテナ信号を送信及び／又は受信する送受信回路に接続し、
第２コンタクトは、アンテナの給電点に接続し、
第１プラグピンと第２プラグピンは、送受信回路若しくはアンテナに流れるＲＦ信号を検出する検出回路に接続するプローブであることを特徴とする請求項１又は請求項２のいずれか１項に記載の接続切換装置。
【請求項４】
第１コンタクトと第２コンタクトは、同一形状であることを特徴とする請求項１乃至請求項３のいずれか１項に記載の接続切換装置。
【請求項５】
第１コンタクトと第２コンタクトは、ノーマルクローズ端子について点対称の位置に前記絶縁ハウジングに取り付けられることを特徴とする請求項４に記載の接続切換装置。
【請求項６】
第１コンタクトの第１弾性接触片の側方にプラグの第１プラグピンが接触する第１平板電極部が一体に形成され、第２コンタクトの第２弾性接触片の側方にプラグの第２プラグピンが接触する第２平板電極部が一体に形成されていることを特徴とする請求項５に記載の接続切換装置。
【請求項７】
第１コンタクトと第２コンタクトが絶縁ハウジングに取り付けられたレセプタクルコネクタに、第１プラグピンを有するプラグを接続し、第２コンタクトに電気接続する第１コンタクトを、第１プラグピンとの電気接続に切り換える接続切換装置であって、
レセプタクルコネクタは、第１弾性接触片を有する第１コンタクトと、第２弾性接触片を有する第２コンタクトと、前記絶縁ハウジングの第１コンタクトと第２コンタクトの間に取り付けられ、第１弾性接触片と第２弾性接触片が弾性接触するノーマルクローズ端子とを備え、
プラグは、前記レセプタクルコネクタに接続する際に、第１弾性接触片に接触し、第１弾性接触片をノーマルクローズ端子から切り離す第１プラグピンと、第２弾性接触片に接触し、第２弾性接触片をノーマルクローズ端子から切り離す第２プラグピンとを備え、
レセプタクルコネクタとプラグが接続した際に、第１コンタクトと第１プラグピンが電気接続するとともに、第２コンタクトと第２プラグピンが電気接続することを特徴とする接続切換装置。
【請求項８】
プラグは、第１プラグピンと、第２弾性接触片に接触し、第２弾性接触片をノーマルクローズ端子から切り離す第２プラグピンと、接地接続されたグランド端子を備え、
レセプタクルコネクタに接続する際に、グランド端子がノーマルクローズ端子に接触することを特徴とする請求項７に記載の接続切換装置。
【請求項９】
第１コンタクトは、アンテナ信号を送信及び／又は受信する送受信回路に接続し、
第２コンタクトは、アンテナの給電点に接続し、
第１プラグピンと第２プラグピンは、送受信回路若しくはアンテナに流れるＲＦ信号を検出する検出回路に接続するプローブであることを特徴とする請求項７又は請求項８のいずれか１項に記載の接続切換装置。
【発明の詳細な説明】
【技術分野】
【０００１】
本発明は、プラグをレセプタクルコネクタに接続した際に、レセプタクルコネクタのコモン端子とノーマルクローズ端子との接続を、ノーマルクローズ端子からプラグのプラグピンへの接続に切り換える接続切換装置に関し、特に、常時、アンテナに接続する送受信回路を、プラグを接続した際に、プラグのプラグピンに接続する検査回路に接続を切り換える接続切換装置に関する。
【背景技術】
【０００２】
携帯電話機などのモバイル通信機器には、アンテナとアンテナ信号を送受信する送受信回路が通信機器内に搭載され、モバイル通信機器の出荷前には、搭載された送受信回路の動作を検査するために、コモン端子を送受信回路に接続し、ノーマルクローズ端子をアンテナに接続させたスイッチ付き同軸コネクタを介してアンテナと送受信回路間を接続している。送受信回路の動作を検査する際には、プラグをスイッチ付き同軸コネクタに接続して、ブレーク端子をコモン端子から切り離すと同時に、検査回路に接続するプラグのプラグピンをコモン端子に接触させて、送受信回路の接続をアンテナから検査回路へ切り換え、送受信回路の動作を検査している。
【０００３】
一方、アンテナ側についても、ノイズの影響を調査したり、アンテナのインピーダンス等の調整や検査を行うために、プラグをスイッチ付き同軸コネクタに接続して、アンテナと検査回路を接続させる要望があり、従来、スイッチ付き同軸コネクタに接続するプラグのプラグピンを介して、検査回路を送受信回路とアンテナのいずれにも接続可能とした接続切換装置が、特許文献１や特許文献２に開示されている。
【０００４】
このうち、特許文献１により開示された接続切換装置１００を図１２で説明すると、接続切換装置１００は、第１可動端子１０２と、第２可動端子１０３と、ノーマルクローズ端子１０４とが絶縁ハウジング１０５に取り付けられたレセプタクルコネクタ１０１と、レセプタクルコネクタ１０１に着脱自在に接続するプラグ１１０とから構成されている。絶縁ハウジング１０５には、スイッチ室１０５ａが底面側から凹設され、スイッチ室１０５ａの内頂面に沿ってノーマルクローズ端子１０４が露出し、このノーマルクローズ端子１０４の一側と他側に、それぞれ絶縁ハウジング１０５に片持ち支持された第１可動端子１０２と第２可動端子１０３とが弾性接触している。また、ノーマルクローズ端子１０４が取り付けられたスイッチ室１０５ａの内頂面には、プラグ１１０のプラグピン１１１を挿通させてノーマルクローズ端子１０４へ接触させるプラグピン挿通孔１０８が穿設されている。
【０００５】
第１可動端子１０２と第２可動端子１０３の各上面には、絶縁突起１０６、１０７が固着され、絶縁突起１０６、１０７は、絶縁ハウジング１０５を貫通し、可動する第１可動端子１０２、第２可動端子１０３に連動して、絶縁ハウジング１０５の上方に出没している。第１可動端子１０２と第２可動端子１０３の他側は、それぞれレセプタクルコネクタ１０１が実装されたプリント配線基板の信号パターン１０９ａ、１０９ｂを介して、図示しないアンテナと送受信回路に電気接続し、常時は、第１可動端子１０２と第２可動端子１０３が弾性接触するノーマルクローズ端子１０４を介してアンテナと送受信回路が電気接続している。
【０００６】
プラグ１１０は、検査回路に接続する針状のプラグピン１１１と、プラグピン１１１の軸周りの一カ所に形成された突出部１１２を備えている。検査回路を送受信回路へ接続する場合には、図示する向きでプラグ１１０をレセプタクルコネクタ１０１へ接続し、プラグピン挿通孔１０８へプラグピン１１１を挿通させてノーマルクローズ端子１０４へ接触させるとともに、プラグ１１０の突出部１１２で、絶縁突起１０６を押し下げて第１可動端子１０２をノーマルクローズ端子１０４から切り離し、第１可動端子１０２とノーマルクローズ端子１０４間を絶縁させる。その結果、送受信回路は、アンテナとの接続から検査回路へ切り換えられる。
【０００７】
また、検査回路をアンテナへ接続する場合には、突出部１１２が図示する向きと逆の右側となる向きでプラグ１１０をレセプタクルコネクタ１０１へ接続し、プラグピン挿通孔１０８へプラグピン１１１を挿通させてノーマルクローズ端子１０４へ接触させる。このとき、プラグ１１０の突出部１１２は、図示する右側の絶縁突起１０７を押し下げて第２可動端子１０３をノーマルクローズ端子１０４から切り離し、第２可動端子１０３とノーマルクローズ端子１０４間を絶縁させる。その結果、アンテナは、送受信回路との接続から検査回路へ切り換えられる。
【０００８】
また、特許文献３に記載の接続切換装置１２０は、図１３に示すスイッチ付き同軸コネクタ１２１を、一対用意し、一対の同軸コネクタ１２１が互いに逆向きとなるようにアンテナと送受信回路との間に直列に接続する。すなわち、一方の同軸コネクタ１２１のコモン端子１２２をアンテナに、他方の同軸コネクタ１２１のコモン端子１２２を送受信回路にそれぞれ接続するとともに、各ノーマルクローズ端子１２３間を電気接続する。従って、一対のスイッチ付き同軸コネクタ１２１のいずれにもプラグ１３０を接続しない常時は、一対の同軸コネクタ１２１を介してアンテナと送受信回路が接続している。
【０００９】
また、図示するように、スイッチ付き同軸コネクタ１２１にプラグ１３０を接続し、プラグ１３０のプラグピン１３１でコモン端子１２２を押し下げると、検査回路に接続するプラグピン１３１がコモン端子１２２に接続するアンテナ若しくは送受信回路に接続し、同時にコモン端子１２２がノーマルクローズ端子１２３から切り離されるので、アンテナと送受信回路間の接続は遮断される。
【００１０】
この接続切換装置１２０によれば、プラグ１３０に検査回路に接続する一対のプラグピン１３１を備えておけば、一対のプラグピン１３１により一対のスイッチ付き同軸コネクタ１２１の各コモン端子１２２を押し下げて、アンテナと送受信回路間の接続を遮断するとともに、一対のプラグピン１３１を各コモン端子１２２に接触させてアンテナと送受信回路のいずれも検査回路へ接続させることができる。
【先行技術文献】
【特許文献】
【００１１】
【特許文献１】特開２０１２−５４０１２号
【特許文献２】特開２００８−２２６５８８号
【特許文献３】特開２０１３−４３６１号
【発明の概要】
【発明が解決しようとする課題】
【００１２】
上述の従来の接続切換装置１００では、検査回路をアンテナ若しくは送受信回路へ接続させる毎に、プラグ１１０の向きを変えてセプタクルコネクタ１０１に接続させる必要がある。また、検査回路をアンテナと送受信回路へ同時に接続することができないので、アンテナに入力されるノイズの影響を考慮して送受信回路の動作を検査することができない。
【００１３】
接続切換装置１２０によれば、アンテナと送受信回路とを並列に同時に検査回路へ接続させることが可能となるが、一対のスイッチ付き同軸コネクタ１２１を用いるので、コスト高になるとともに、通信機器内のアンテナと送受信回路を接続する信号パターンが配線された回路基板上に一対のスイッチ付き同軸コネクタ１２１を実装する実装スペースを確保しなければならず、通信機器を小型化する障害にもなるので実用的ではない。
【００１４】
また、従来の接続切換装置１００では、第１可動端子１０２若しくは第２可動端子１０３がノーマルクローズ端子１０４から切り離されても、検査回路に接続するノーマルクローズ端子１０４に近接する状態にあるので、検査回路と第１可動端子１０２に接続するアンテナや、第２可動端子１０３に接続する送受信回路とのアイソレーションがとれず、遮断したアンテナや送受信回路から検査回路へノイズやアンテナ信号が漏れるという問題があった。
【００１５】
同様に、接続切換装置１２０においても、プラグピン１３１により押し下げられてコモン端子１２２から切り離されるノーマルクローズ端子１２３は、コモン端子１２２に近接する状態にあるので、検査回路とアンテナ間の信号伝送路と、検査回路と送受信回路間の信号伝送路は、ノーマルクローズ端子１２３を介して高周波結合する恐れがあり、相互の十分なアイソレーションがとれないという問題があった。
【００１６】
本発明は、上述の問題点を考慮してなされたものであり、アンテナと送受信回路とを接続するレセプタクルコネクタに、プラグピンが検査回路が接続するプラグを接続し、検査回路をアンテナと送受信回路にそれぞれ接続させる並列接続に切り換える接続切換装置を提供すること目的とする。
【００１７】
また、検査回路とアンテナ間の信号伝送路と検査回路と送受信回路間の信号伝送路のアイソレーションが高い接続切換装置を提供すること目的とする。
【課題を解決するための手段】
【００１８】
上述の目的を達成するため、請求項１の接続切換装置は、第１コンタクトと第２コンタクトが絶縁ハウジングに取り付けられたレセプタクルコネクタに、第１プラグピンを有するプラグを接続し、第２コンタクトに電気接続する第１コンタクトを、第１プラグピンとの電気接続に切り換えらる接続切換装置であって、
レセプタクルコネクタは、第１弾性接触片を有する第１コンタクトと、第２弾性接触片を有する第２コンタクトと、絶縁ハウジングの第１コンタクトと第２コンタクトの間に取り付けられ、第１弾性接触片と第２弾性接触片が弾性接触するノーマルクローズ端子とを備え、プラグは、レセプタクルコネクタに接続する際に、第１コンタクトに接触する第１プラグピンと、第２コンタクトに接触する第２プラグピンと、第１弾性接触片とノーマルクローズ端子間及び／又は第２弾性接触片とノーマルクローズ端子間に挿入され、第１弾性接触片及び／又は第２弾性接触片とノーマルクローズ端子間を絶縁する絶縁突部とを備え、レセプタクルコネクタとプラグが接続した際に、第１コンタクトと第１プラグピンが電気接続するとともに、第２コンタクトと第２プラグピンが電気接続することを特徴とする。
【００１９】
レセプタクルコネクタにプラグが接続されていない常時は、第１弾性接触片と第２弾性接触片が弾性接触するノーマルクローズ端子を介して、第１コンタクトと第２コンタクトが電気接続する。レセプタクルコネクタにプラグを接続すると、プラグの絶縁突部が第１弾性接触片と第２弾性接触片の少なくとも一方とノーマルクローズ端子間を絶縁するとともに、第１プラグピンと第２プラグピンがそれぞれ第１コンタクトと第２コンタクトに接触し、電気接続する。
【００２０】
請求項２の接続切換装置は、プラグが、第１コンタクトに接触する第１プラグピンと、第２コンタクトに接触する第２プラグピンと、第１弾性接触片とノーマルクローズ端子間及び第２弾性接触片とノーマルクローズ端子間に挿入され、第１弾性接触片及び第２弾性接触片とノーマルクローズ端子間を絶縁する絶縁突部と、接地接続し、前記絶縁突部に沿って突設されるグランド端子とを備え、レセプタクルコネクタに接続する際に、グランド端子がノーマルクローズ端子に接触することを特徴とする。
【００２１】
レセプタクルコネクタにプラグを接続すると、第１弾性接触片と第２弾性接触片から切り離されたノーマルクローズ端子に、接地接続するグランド端子が接触するので、第１コンタクトと第２コンタクトの間がシールド導体の電位となったノーマルクローズ端子により遮蔽される。
【００２２】
請求項３の接続切換装置は、第１コンタクトは、アンテナ信号を送信及び／又は受信する送受信回路に接続し、第２コンタクトは、アンテナの給電点に接続し、第１プラグピンと第２プラグピンは、送受信回路若しくはアンテナに流れるＲＦ信号を検出する検出回路に接続するプローブであることを特徴とする。
【００２３】
レセプタクルコネクタにプラグが接続されていない常時は、ノーマルクローズ端子を介して、アンテナの給電点とアンテナ信号を送信及び／又は受信する送受信回路が電気接続する。レセプタクルコネクタにプラグを接続すると、アンテナの給電点と送受信回路間が絶縁され、アンテナの給電点と送受信回路は、それぞれ送受信回路若しくはアンテナに流れるＲＦ信号を検出する検出回路に電気接続する。
【００２４】
請求項４の接続切換装置は、第１コンタクトと第２コンタクトは、同一形状であることを特徴とする。
【００２５】
１種類のコンタクトを、第１コンタクトと第２コンタクトに共用できる。
【００２６】
請求項５の接続切換装置は、第１コンタクトと第２コンタクトが、ノーマルクローズ端子について点対称の位置に絶縁ハウジングに取り付けられることを特徴とする。
【００２７】
第１コンタクトと第２コンタクトは、同一形状でノーマルクローズ端子について点対称に配置されるので、第１コンタクトと第２コンタクトの特性インピーダンスは等しく、第１コンタクトと第２コンタクトをそれぞれアンテナ信号が流れる２種類の伝送経路の伝送特性が同一となる。
【００２８】
請求項６の接続切換装置は、第１コンタクトの第１弾性接触片の側方にプラグの第１プラグピンが接触する第１平板電極部が一体に形成され、第２コンタクトの第２弾性接触片の側方にプラグの第２プラグピンが接触する第２平板電極部が一体に形成されていることを特徴とする。
【００２９】
第１コンタクトと第２コンタクトは、ノーマルクローズ端子について点対称の絶縁ハウジングの位置に取り付けられるので、第１弾性接触片と第２弾性接触片がノーマルクローズ端子に弾性接触する空間の側方の空きスペースに、第１平板電極部と第２平板電極部が配置される。
【００３０】
請求項７の接続切換装置は、第１コンタクトと第２コンタクトが絶縁ハウジングに取り付けられたレセプタクルコネクタに、第１プラグピンを有するプラグを接続し、第２コンタクトに電気接続する第１コンタクトを、第１プラグピンとの電気接続に切り換える接続切換装置であって、レセプタクルコネクタは、第１弾性接触片を有する第１コンタクトと、第２弾性接触片を有する第２コンタクトと、絶縁ハウジングの第１コンタクトと第２コンタクトの間に取り付けられ、第１弾性接触片と第２弾性接触片が弾性接触するノーマルクローズ端子とを備え、プラグは、レセプタクルコネクタに接続する際に、第１弾性接触片に接触し、第１弾性接触片をノーマルクローズ端子から切り離す第１プラグピンと、第２弾性接触片に接触し、第２弾性接触片をノーマルクローズ端子から切り離す第２プラグピンとを備え、レセプタクルコネクタとプラグが接続した際に、第１コンタクトと第１プラグピンが電気接続するとともに、第２コンタクトと第２プラグピンが電気接続することを特徴とする。
【００３１】
レセプタクルコネクタにプラグが接続されていない常時は、第１弾性接触片と第２弾性接触片が弾性接触するノーマルクローズ端子を介して、第１コンタクトと第２コンタクトが電気接続する。レセプタクルコネクタにプラグを接続すると、第１プラグピンと第２プラグピンがそれぞれ第１弾性接触片と第２弾性接触片に接触し、第１コンタクトと第２コンタクトに電気接続するとともに、第１弾性接触片と第２弾性接触片をノーマルクローズ端子から切り離す。
【００３２】
請求項８の接続切換装置は、プラグは、第１プラグピンと、第２弾性接触片に接触し、第２弾性接触片をノーマルクローズ端子から切り離す第２プラグピンと、接地接続されたグランド端子を備え、レセプタクルコネクタに接続する際に、グランド端子がノーマルクローズ端子に接触することを特徴とする。
【００３３】
レセプタクルコネクタにプラグを接続すると、第１弾性接触片と第２弾性接触片から切り離されたノーマルクローズ端子に、接地接続されたグランド端子が接触するので、第１コンタクトと第２コンタクトの間がシールド導体の電位となったノーマルクローズ端子により遮蔽される。
【００３４】
請求項９の接続切換装置は、第１コンタクトは、アンテナ信号を送信及び／又は受信する送受信回路に接続し、第２コンタクトは、アンテナの給電点に接続し、第１プラグピンと第２プラグピンは、送受信回路若しくはアンテナに流れるＲＦ信号を検出する検出回路に接続するプローブであることを特徴とする。
【００３５】
レセプタクルコネクタにプラグが接続されていない常時は、ノーマルクローズ端子を介して、アンテナの給電点とアンテナ信号を送信及び／又は受信する送受信回路が電気接続する。レセプタクルコネクタにプラグを接続すると、アンテナの給電点と送受信回路間が絶縁され、アンテナの給電点と送受信回路は、それぞれ送受信回路若しくはアンテナに流れるＲＦ信号を検出する検出回路に電気接続する。
【発明の効果】
【００３６】
請求項１と請求項７の発明によれば、第１コンタクトと第２コンタクト間の信号伝送経路を、プラグをレセプタクルコネクタへ接続することによって、第１プラグピンと第１コンタクト間の信号伝送経路と第２プラグピンと第２コンタクト間の信号伝送経路の並列２系統の信号伝送経路に切り換えることができる。
【００３７】
請求項２と請求項８の発明によれば、第１プラグピンと第１コンタクト間の信号伝送路と、第２プラグピンと第２コンタクト間の信号伝送路とが、接地電位のノーマルクローズ端子によってシールドされるので、２種類の信号伝送路間のアイソレーションをとることができる。
【００３８】
また、２種類の信号伝送路間を遮蔽するために、接続切換に用いるノーマルクローズ端子を利用するので、第１コンタクトと第２コンタクト間の狭いスペースに別にシールド部材を配置する必要がない。
【００３９】
請求項３と請求項９の発明によれば、一対のプラグピンを送受信回路若しくはアンテナに流れるＲＦ信号を検出する検出回路に接続させたプラグをレセプタクルコネクタに接続するだけで、ＲＦ信号を検出する検出回路をアンテナの給電点と送受信回路のいずれにも電気接続させることができ、検出回路において、アンテナから入力されるノイズの影響を考慮しながら、送受信回路の動作状態を検査できる。
【００４０】
請求項４の発明によれば、１種類のコンタクトを、第１コンタクトと第２コンタクトに共用できるので、部品管理が容易になり、製造コストも低下する。
【００４１】
また、第１コンタクトと第２コンタクトとの相違によって絶縁ハウジングへの取り付け位置が特定されることがないので、誤った位置に取り付けられることがなく、組立の作業性がよい。
【００４２】
請求項５の発明によれば、第１コンタクトと第２コンタクトの２種類の伝送経路の伝送特性が同一となるので、双方の伝送経路の損失の差を考慮せずに、双方の伝送経路を流れるＲＦ信号を比較できる。
【００４３】
また、第１コンタクトと第２コンタクトの方向を考慮せずに、レセプタクルコネクタを回路基板へ実装できる。
【００４４】
請求項６の発明によれば、第１弾性接触片と第１平板電極部が一体の第１コンタクトと、第２弾性接触片と第２平板電極部が一体の第２コンタクトとを、絶縁ハウジング内のノーマルクローズ端子周りに効率的に配置できる。
【００４５】
また、プラグの第１プラグピンと第２プラグピンを、それぞれ第１平板電極部と第２平板電極部へ接触させ、第１コンタクトと第２コンタクトにフラグの接続方向に進退するバネを用いないので、モバイル機器内の回路基板上に実装するレセプタクルコネクタを薄型化できる。
【図面の簡単な説明】
【００４６】
【図１】本発明に係る接続切換装置１のレセプタクルコネクタ１０を示す斜視図である。
【図２】レセプタクルコネクタ１０の平面図である。
【図３】レセプタクルコネクタ１０の分解斜視図である。
【図４】レセプタクルコネクタ１０の図２のＡ−Ａ線断面図である。
【図５】レセプタクルコネクタ１０の図２のＢ−Ｂ線断面図である。
【図６】レセプタクルコネクタ１０の図２のＣ−Ｃ線断面図である。
【図７】図６に示すレセプタクルコネクタ１０にプラグ２０を接続した状態の縦断面図である。
【図８】プラグ２０を接続していない常時のレセプタクルコネクタ１０の回路図である。
【図９】レセプタクルコネクタ１０にプラグ２０を接続した状態の回路図である。
【図１０】第２実施の形態に係る接続切換装置３０のプラグ４０を接続する前のレセプタクルコネクタ３１を示す縦断面図である。
【図１１】レセプタクルコネクタ３１にプラグ２０を接続した状態を示す縦断面図である。
【図１２】レセプタクルコネクタ１０１にプラグ１１０を接続した状態を示す従来の接続切換装置１００の縦断面図である。
【図１３】従来の接続切換装置１２０のスイッチ付き同軸コネクタ１２１の縦断面図である。
【発明を実施するための形態】
【００４７】
以下、本発明の第１実施の形態にかかる接続切換装置１を、図１乃至図９で説明する。図９の回路図に示すように、この実施の形態の接続切換装置１は、アンテナ２の給電点２ａと、アンテナ２から送信若しくは受信するアンテナ信号を送受信する送受信回路３との常時接続と、アンテナ２若しくは送受信回路３に流れるＲＦ信号を検出する検出回路を有する検査回路４をそれぞれアンテナ２の給電点２ａと送受信回路３に並列に接続する２ＷＡＹ接続とに切換接続するもので、送受信回路３に接続する第１コモン端子である第１コンタクト１１と、アンテナ２の給電点２ａに接続する第２コモン端子である第２コンタクト１２と、ノーマルクローズ端子１３とが絶縁ハウジング１４に互いに絶縁して取り付けられたスイッチ付きレセプタクルコネクタ１０（以下、単にレセプタクルコネクタ１０という）と、レセプタクルコネクタ１０に嵌合接続するプラグ２０とから構成され、レセプタクルコネクタ１０は、アンテナ２と送受信回路３が実装された図示しない電子通信機器の回路基板の表面に実装されている。
【００４８】
レセプタクルコネクタ１０の絶縁ハウジング１４は、鉛直方向（図４、図５の上下方向）に貫通する貫通孔１５が形成された四角筒状に形成され、全体が、平面の図心を通る鉛直線を中心線について対称となる形状となっている。ノーマルクローズ端子１３は、導電性金属板によって、図３乃至図５に示す板状に形成され、絶縁ハウジング１４の下方から貫通孔１５の中央で対向する内壁面間に沿って圧入して絶縁ハウジング１４に固定され、貫通孔１５は、ノーマルクローズ端子１３が圧入して取り付けられることによって、プラグ２０の後述する第１絶縁突板２４ａが挿抜される第１プラグ挿入孔１５ａと第２絶縁突板２４ｂが挿抜される第２プラグ挿入孔１５ｂに仕切られる
【００４９】
図３に示すように、第１コンタクト１１は、絶縁ハウジング１４にインサート成型されることによって、絶縁ハウジング１４に一体に固定された固定片１１ａと、固定片１１ａの上方で二股に分岐された第１弾性接触片１１ｂ及び第１固定接触片１１ｃとが、細長板状の導電性金属板をプレス成形して一体に形成されている。固定片１１ａは、下方の一側が絶縁ハウジング１４の底面に沿って露出し、送受信回路３に接続する回路基板のパターンに半田接続される。
【００５０】
二股に分岐する一方の第１弾性接触片１１ｂは、絶縁ハウジング１４に固定される固定片１１ａに、第１プラグ挿入孔１５ａ内で可動するように片持ち支持された弾性片であり、第１プラグ挿入孔１５ａに露出するノーマルクローズ端子１３に向かってくの字状に折り曲げられ、図６に示すように、自由状態で、ノーマルクローズ端子１３の側面に弾性接触する。また、二股に分岐する他方の第１固定接触片１１ｃは、上方が絶縁ハウジング１４の平面に沿って直角に折り曲げられた第１平板電極部１１ｄが、第１プラグ挿入孔１５ａの側方の平面に露出し、この第１平板電極部１１ｄに第１プラグピン２１が当接するようになっている。
【００５１】
第２コンタクト１２は、細長板状の導電性金属板をプレス成形して形成される第１コンタクト１１と同一であり、第１コンタクト１１が前述の平面の図心を通る鉛直線を中心線について対称となる絶縁ハウジング１４の位置に取付らけれることによって、第２コンタクト１２となる。すなわち、第１コンタクト１１の固定片１１ａ、第１弾性接触片１１ｂ及び第１固定接触片１１ｃが、第２コンタクト１２の固定片１２ａ、第２弾性接触片１２ｂ及び第２固定接触片１２ｃにそれぞれ対応し、絶縁ハウジング１４の底面に沿って露出する固定片１２ａの一部がアンテナ２の給電点２ａに接続する回路基板のパターンに半田接続され、第２弾性接触片１２ｂが第２プラグ挿入孔１５ｂ内でノーマルクローズ端子１３に向かってくの字状に折り曲げられ、図６に示すように、自由状態で、ノーマルクローズ端子１３の側面に弾性接触する。また、第２固定接触片１２ｃの上方で絶縁ハウジング１４の平面に沿って直角に折り曲げられた第２平板電極部１２ｄは、第１平板電極部１１ｄと対角位置の第２プラグ挿入孔１５ｂの側方の平面に露出し、この第２平板電極部１２ｄに第２プラグピン２２が当接するようになっている。
【００５２】
図３に示すように、レセプタクルコネクタ１０は、更に、直方筒状の絶縁ハウジング１４の側面全体を囲うアースシェル１６を備えている。アースシェル１６は、導電性金属板を折り曲げ加工して図示する長方形枠状に形成され、下端がレセプタクルコネクタ１０を実装する回路基板の接地パターンに半田接続される。これにより、絶縁ハウジング１４の内方に配置された第１コンタクト１１及び第２コンタクト１２がシールドされる。アースシェル１６の周囲にはリング凹部１６ａが凹設され、プラグ２０をレセプタクルコネクタ１０に接続する際には、このリング凹部１６ａにプラグ２０の後述する筒状アース金具２６が外嵌する。
【００５３】
レセプタクルコネクタ１０に嵌合接続するプラグ２０には、図７に示すように、第１プラグピン２１と第２プラグピン２２を支持するインシュレータ２７から、レセプタクルコネクタ１０のそれぞれ第１プラグ挿入孔１５ａと第２プラグ挿入孔１５ｂ内のノーマルクローズ端子１３の側面に沿って挿入される一組の第１絶縁突板２４ａと第２絶縁突板２４ｂからなる絶縁突部２４が突設されている。プラグ２０をレセプタクルコネクタ１０に嵌合接続すると、同図に示すように、第１絶縁突板２４ａと第２絶縁突板２４ｂは、それぞれノーマルクローズ端子１３と第１弾性接触片１１ｂの間及びノーマルクローズ端子１３と第２弾性接触片１２ｂの間に介在し、ノーマルクローズ端子１３を介して電気接続していた第１コンタクト１１と第２コンタクト１２間が絶縁される。
【００５４】
それぞれ検査回路４に並列に接続するプローブである第１プラグピン２１と第２プラグピン２２は、絶縁突部２４について点対称となるインシュレータ２７の対角位置で出没自在に位置決めされる。第１プラグピン２１と第２プラグピン２２は、いずれもインシュレータ２７から所定の長さで突出するように、圧縮バネ２８ａ、２８ｂにより先端方向（図中下方）に付勢されている。
【００５５】
インシュレータ２７の外周面には、アースシェル１６に外嵌する円筒状の導電性金属板からなる筒状アース金具２６が取り付けられ、アースシェル１６のリング凹部１６ａに嵌合接続することにより、プラグ２０とレセプタクルコネクタ１０は嵌合接続する状態で保持される。
【００５６】
第１絶縁突板２４ａと第２絶縁突板２４ｂの間には、圧縮バネ２８ｃにより先方に付勢された板状のグランド端子２５がスライド自在に配置されている。グランド端子２５は、接地接続された筒状アース金具２６に接続し、図９に示すように、プラグ２０をレセプタクルコネクタ１０に嵌合接続すると、ノーマルクローズ端子１３の頂面（平面）に弾性接触し、ノーマルクローズ端子１３を接地電位とする。尚、プラグ２０は、必ずしもこの筒状アース金具２６を備えるものである必要はなく、グランド端子２５は、筒状アース金具２６以外の接地電位の部分に接続し、接地電位としてもよい。
【００５７】
このように構成されたレセプタクルコネクタ１０にプラグ２０を接続しない常時は、図６、図８に示すように、第１コンタクト１１の第１弾性接触片１１ｂと第２コンタクト１２の第２弾性接触片１２ｂがノーマルクローズ端子１３の両側面にそれぞれ弾性接触している。その結果、送受信回路３は、アンテナ２の給電点２ａに接続し、アンテナ２から送信され、若しくはアンテナ２から受信するアンテナ信号を送受信する。
【００５８】
アンテナ２の送受信状態と送受信回路３の動作を検査する場合には、検査回路４に接続するプラグ２０をレセプタクルコネクタ１０へ接続する。図７、図９に示すように、プラグ２０をレセプタクルコネクタ１０に嵌合接続すると、第１絶縁突板２４ａと第２絶縁突板２４ｂが、それぞれノーマルクローズ端子１３と第１弾性接触片１１ｂの間及びノーマルクローズ端子１３と第２弾性接触片１２ｂの間に挿入され、第１コンタクト１１と第２コンタクト１２間が絶縁されるとともに、第１プラグピン２１と第２プラグピン２２が対向位置に露出する第１平板電極部１１ｄと第２平板電極部１２ｄに当接して弾性接触し、検査回路４と送受信回路３との接続と、検査回路４とアンテナ２との接続の２ＷＡＹの接続に切り換えられる。
【００５９】
また、検査回路４を介して接地接続された筒状アース金具２６がアースシェル１６のリング凹部１６ａに嵌合接続することにより、第１プラグピン２１と第１コンタクト１１が接続する信号線路と、第２プラグピン２２と第２コンタクト１２が接続する信号線路が、接地されたアースシェル１６と筒状アース金具２６に囲まれ、外部からシールドされるとともに、第１プラグピン２１と第１コンタクト１１が接続する信号線路と、第２プラグピン２２と第２コンタクト１２が接続する信号線路とが、接地されたグランド端子２５とノーマルクローズ端子１３により遮蔽され、相互の高いアイソレーションが得られる。
【００６０】
本実施の形態によれば、同一形状のコンタクトを第１コンタクト１１と第２コンタクト１２とすることができるので、第１コンタクト１１と第２コンタクト１２とに分けて部品を管理する必要がなく、また、取付位置も考慮する必要がない。
【００６１】
また、同一形状の第１コンタクト１１と第２コンタクト１２とを、点対称の形状に形成された絶縁ハウジング１４の点対称となる位置にそれぞれ取り付けるので、回路基板上の向きを考慮することなくコンタクトの固定片を回路基板のパターン上に配置し、固定片が送受信回路３に接続する回路基板のパターンに半田接続されるコンタクトを第１コンタクト１１と、固定片がアンテナ２の給電点２ａに接続する回路基板のパターンに半田接続されるコンタクトを第２コンタクト１２とすることができる。
【００６２】
また、同一形状の第１コンタクト１１と第２コンタクト１２とその周囲の絶縁ハウジング１４が点対称となる形状であるので、レセプタクルコネクタ１０内の第１コンタクト１１と第２コンタクト１２の信号線路の特性インピーダンスが同一であり、検査回路４において、両者の信号損失の差を考慮せずにアンテナ２のアンテナ信号と、送受信回路３で送受信するアンテナ信号とを比較できる。
【００６３】
次に本発明の第２実施の形態にかかる接続切換装置３０を、図１０と図１１で説明する。この接続切換装置３０は、プラグ４０に第１実施の形態にかかる絶縁突部２４を設けることなく、プラグ４０をレセプタクルコネクタ３１へ接続した際に、第１コンタクト３２と第２コンタクト３３間を絶縁するもので、第１実施の形態に係る接続切換装置１と同一若しくは相当する接続切換装置３０の構成には、図中、同一の番号を付してその説明を省略する。
【００６４】
レセプタクルコネクタ３１の絶縁ハウジング１４に取り付けられる第１コンタクト３２と第２コンタクト３３とは、同一形状であるが、固定接触片１１ｃ、１２ｃに相当する構成がなく、それぞれ絶縁ハウジング１４に固定される固定片１１ａ、１２ａの先端に第１弾性接触片１１ｂ、第２弾性接触片１２ｂを片持ち支持して形成される。従って、プラグ４０が接続されない常時は、図１０に示すように、第１コンタクト３２の第１弾性接触片１１ｂと第２コンタクト３３の第２弾性接触片１２ｂがノーマルクローズ端子１３の両側面にそれぞれ弾性接触し、送受信回路３とアンテナ２の給電点２ａの間が電気接続して、送受信回路３は、アンテナ２から送信され、若しくは受信するアンテナ信号を送受信する。
【００６５】
また、プラグ４０は、レセプタクルコネクタ３１の第１弾性接触片１１ｂと第２弾性接触片１２ｂに対向する位置に、それぞれインシュレータ２７から突設された一組の同一形状の第１プラグピン２１と第２プラグピン２２を備えているが、その間に絶縁突部２４やグランド端子２５は突設されていない。
【００６６】
図１１に示すように、レセプタクルコネクタ３１へプラグ４０を接続すると、第１プラグピン２１と第２プラグピン２２がそれぞれ第１弾性接触片１１ｂと第２弾性接触片１２ｂに弾性接触して、第１弾性接触片１１ｂと第２弾性接触片１２ｂを図中下方へ押し下げる。その結果、第１弾性接触片１１ｂと第２弾性接触片１２ｂは、それぞれノーマルクローズ端子１３との電気接続が絶たれ、第１コンタクト３２と第２コンタクト３３間が絶縁される。同時に、第１コンタクト３２の第１弾性接触片１１ｂは第１プラグピン２１と、第２コンタクト３３の第２弾性接触片１２ｂは第２プラグピン２２と電気接続するので、アンテナ２と送受信回路３との接続が、検査回路４と送受信回路３との接続と、検査回路４とアンテナ２との接続の２ＷＡＹの接続に切り換えられる。
【００６７】
本実施の形態にかかる接続切換装置３０も、第１コンタクト３２と第２コンタクト３３が同一形状で、プラグ４０をレセプタクルコネクタ３１へ接続した接続切換装置３０の全体がノーマルクローズ端子１３について対称形状であるので、第１コンタクト３２と第１プラグピン２１が接続する信号線路と、第２コンタクト３３と第２プラグピン２２が接続する信号線路の特性インピーダンス等の高周波信号特性が同一となり、個々の信号線路による信号損失の差を考慮せずにアンテナ２のアンテナ信号と、送受信回路３で送受信するアンテナ信号とを比較できる。
【００６８】
また、この接続切換装置３０においても、プラグ４０に、接地接続させたグランド端子２５を第１プラグピン２１と第２プラグピン２２の間に突設し、第１プラグピン２１と第２プラグピン２２がそれぞれ第１弾性接触片１１ｂと第２弾性接触片１２ｂに弾性接触した後に、グランド端子２５をノーマルクローズ端子１３に電気接続させて、接地電位となったノーマルクローズ端子１３で、第１プラグピン２１と第１コンタクト３２が接続する信号線路と、第２プラグピン２２と第２コンタクト３３が接続する信号線路とを遮断させてもよい。
【００６９】
一方、第１実施の形態にかかる接続切換装置１において、第１プラグピン２１と第１コンタクト１１が接続する信号線路と、第２プラグピン２２と第２コンタクト１２が接続する信号線路とを遮蔽するまでの必要がなければ、プラグ２０にグランド端子２５を設ける必要はない。
【００７０】
本発明は、上述の実施の形態に限定されることなく種々変形が可能である。例えば、第１コンタクト１１と第２コンタクト１２若しくは第１コンタクト３２と第２コンタクト３３は、必ずしも同一形状とする必要はない。一方、絶縁ハウジング１４の中心に取り付けられるノーマルクローズ端子１３について、第１コンタクト３２と第２コンタクト３３のように、左右が対称形状であれば、第１コンタクト３２と第２コンタクト３３をノーマルクローズ端子１３について対称となる絶縁ハウジング１４の位置に取り付けてもよい。
【００７１】
また、上述の各実施の形態では、アンテナ２と送受信回路３との接続を、検査回路４と送受信回路３との接続と、検査回路４とアンテナ２との接続の２ＷＡＹの接続に切り換える接続切換装置で説明したが、高周波信号が流れる回路間の接続を切り換える接続切換装置であれば、第１プラグピン２１、第２プラグピン２２、第１コンタクト１１、３２、第２コンタクト１２、３３は、いずれの回路若しくは回路部品に接続するものであっても本発明を適用できる。
【産業上の利用可能性】
【００７２】
本発明は、アンテナとアンテナ信号を送受信する送受信回路との接続を、アンテナと検査回路及び送受信回路と検査回路の２ＷＡＹの接続ｉ切り換える接続切換装置に適している。
【符号の説明】
【００７３】
１、３０  接続切換装置装置
２ａ  アンテナの給電点
３  送受信回路
４  検査回路
１０、３１  レセプタクルコネクタ
１１、３２  第１コンタクト
１１ｂ  第１弾性接触片
１１ｄ  第１平板電極部
１２、３３  第２コンタクト
１２ｂ  第２弾性接触片
１２ｄ  第２平板電極部
１３  ノーマルクローズ端子
１４  絶縁ハウジング
２０、４０  プラグ
２１  第１プラグピン（プローブ）
２２  第２プラグピン（プローブ）
２４  絶縁突部
２５  グランド端子
【図１】
2020061320.tif 000003
【図２】
2020061320.tif 000004
【図３】
2020061320.tif 000005
【図４】
2020061320.tif 000006
【図５】
2020061320.tif 000007
【図６】
2020061320.tif 000008
【図７】
2020061320.tif 000009
【図８】
2020061320.tif 000010
【図９】
2020061320.tif 000011
【図１０】
2020061320.tif 000012
【図１１】
2020061320.tif 000013
【図１２】
2020061320.tif 000014
【図１３】
2020061320.tif 000015